(57)【要約】【課題】外部装置と通信を行う電子機器において、外部装置のモードを変更することなく、外部装置と接続処理を行うことが可能な電子機器を提供すること。【解決手段】スマートフォン１は、バッテリー１９と、ＣＰＵ１１と、を備える。ＣＰＵ１１は、ＵＳＢ  ＤＡＣ２が接続されてから所定時間、バッテリー１９からの電源電圧をＵＳＢ  ＤＡＣ２に供給しない。また、ＣＰＵ１１は、ＵＳＢ  ＤＡＣ２が接続されてから、ＵＳＢ  ＤＡＣ２との接続処理が完了するまで、バッテリー１９からの電源電圧をＵＳＢ  ＤＡＣ２に供給しない。【選択図】図３
2017062661.tif 000002
【特許請求の範囲】
【請求項１】
バッテリーと、制御部と、を備え、
前記制御部は、外部装置が接続されてから所定時間、前記バッテリーからの電源電圧を前記外部装置に供給しないことを特徴とする電子機器。
【請求項２】
バッテリーと、制御部と、を備え、
前記制御部は、外部装置が接続されてから、前記外部装置との接続処理が完了するまで、前記バッテリーからの電源電圧を前記外部装置に供給しないことを特徴とする電子機器。
【請求項３】
前記電子機器は、ＵＳＢホスト機器として機能し、
前記外部装置は、ＵＳＢデバイス機器として機能することを特徴とする請求項１又は２に記載の電子機器。
【発明の詳細な説明】
【技術分野】
【０００１】
本発明は、外部装置と通信を行う電子機器に関する。
【背景技術】
【０００２】
外部装置とＵＳＢ規格に従った通信を行う電子機器として、スマートフォンがある。例えば、スマートフォンは、音楽再生プログラムにより、音楽再生装置として機能し、外部装置であるＵＳＢ  ＤＡＣにデジタルオーディオデータを出力することができる（例えば、特許文献１参照。）。Ａｎｄｒｏｉｄ（登録商標）  ＯＳを搭載したスマートフォンと、ＵＳＢ  ＤＡＣと、をＵＳＢ  ＯＮ  ＴＨＥ  ＧＯ  ケーブルで接続した場合、スマートフォンは、ＵＳＢホスト機器となる。また、ＵＳＢ  ＤＡＣは、ＵＳＢデバイス機器となる。
【先行技術文献】
【特許文献】
【０００３】
【特許文献１】特開２０１５−１２２７０９号公報
【発明の概要】
【発明が解決しようとする課題】
【０００４】
上述のように、スマートフォンがＵＳＢホスト機器となり、ＵＳＢ  ＤＡＣがＵＳＢデバイス機器となり、ＵＳＢ  ＤＡＣが充電モードである場合、スマートフォンからＵＳＢ  ＤＡＣに電源電圧が供給される。スマートフォンからＵＳＢ  ＤＡＣに電源電圧が供給されると、スマートフォンによっては、ＵＳＢ  ＤＡＣとのＵＳＢ接続処理を停止してしまうものがある。ＵＳＢ  ＤＡＣを非充電モードとすれば、スマートフォンは、ＵＳＢ  ＤＡＣとのＵＳＢ接続処理を停止することはない。しかしながら、非充電モードのＵＳＢ  ＤＡＣをＰＣ等に接続した場合、ＵＳＢ  ＤＡＣは充電されないため、ユーザーは、充電モードに設定変更する必要がある。このように、ユーザーは、接続する機器によって、ＵＳＢ  ＤＡＣのモードを変更する必要があり、面倒である。
【０００５】
本発明の目的は、外部装置と通信を行う電子機器において、外部装置のモードを変更することなく、外部装置と接続処理を行うことが可能な電子機器を提供することである。
【課題を解決するための手段】
【０００６】
第１の発明の電子機器は、バッテリーと、制御部と、を備え、前記制御部は、外部装置が接続されてから所定時間、前記バッテリーからの電源電圧を前記外部装置に供給しないことを特徴とする。
【０００７】
本発明では、制御部は、外部装置が接続されてから所定時間、バッテリーからの電源電圧を外部装置に供給しない。このため、初期接続時に電子機器から外部装置に電源電圧が供給されない。これにより、外部装置が充電モードであっても、電子機器が外部装置との接続処理を停止することがない。このように、本発明によれば、外部装置のモードを変更することなく、外部装置と接続処理を行うことができる。
【０００８】
第２の発明の電子機器は、バッテリーと、制御部と、を備え、前記制御部は、外部装置が接続されてから、前記外部装置との接続処理が完了するまで、前記バッテリーからの電源電圧を前記外部装置に供給しないことを特徴とする。
【０００９】
本発明では、制御部は、外部装置が接続されてから、外部装置との接続処理が完了するまで、バッテリーからの電源電圧を外部装置に供給しない。このため、初期接続時に電子機器から外部装置に電源電圧が供給されない。これにより、外部装置が充電モードであっても、電子機器が外部装置との接続処理を停止することがない。このように、本発明によれば、外部装置のモードを変更することなく、外部装置と接続処理を行うことができる。
【００１０】
第３の発明の電子機器は、第１又は第２の発明の電子機器において、前記電子機器は、ＵＳＢホスト機器として機能し、前記外部装置は、ＵＳＢデバイス機器として機能することを特徴とする。
【発明の効果】
【００１１】
本発明によれば、外部装置のモードを変更することなく、外部装置と接続処理を行うことができる。
【図面の簡単な説明】
【００１２】
【図１】本発明の実施形態に係るスマートフォン等の構成を示すブロック図である。
【図２】ＵＳＢ  ＤＡＣが接続された場合のスマートフォンの処理動作を示すフローチャートである。
【図３】ＵＳＢ  ＤＡＣが接続された場合のスマートフォンの処理動作を示すフローチャートである。
【発明を実施するための形態】
【００１３】
以下、本発明の実施形態について説明する。図１は、本発明の実施形態に係るスマートフォン等の構成を示すブロック図である。スマートフォン１（電子機器）は、ＵＳＢ  ＤＡＣ２（外部装置）に接続されている。スマートフォン１は、記憶部１２に記憶されている音楽再生プログラムＰが実行されることにより、デジタルオーディオデータをＵＳＢ  ＤＡＣ２に出力する音楽再生装置として機能する。ＵＳＢ  ＤＡＣ２は、スマートフォン１から出力されたデジタルオーディオデータをアナログオーディオデータにＤ／Ａ変換する。そして、ＵＳＢ  ＤＡＣ２は、Ｄ／Ａ変換したアナログオーディオデータを増幅し、ヘッドホン３に出力する。ヘッドホン３は、ＵＳＢ  ＤＡＣ２から出力されたアナログオーディオデータに基づいて、音楽を含む音声を外部に出力する。
【００１４】
（スマートフォン１）
スマートフォン１は、ＣＰＵ１１、記憶部１２、表示部１３、操作部１４、スピーカー１５、ネットワーク通信部（以下、「ＮＷ通信部」という。）１６、コネクター１７、ＵＳＢホストコントローラー１８、バッテリー１９を備えている。スマートフォン１は、例えば、ＯＳ（Operating System）プログラムとして、Ａｎｄｒｏｉｄ（登録商標）  ＯＳを搭載している。
【００１５】
ＣＰＵ１１（制御部）は、制御プログラム、ＯＳプログラム、音楽再生プログラムＰを含むアプリケーションプログラムに従って、スマートフォン１を構成する各部を制御する。また、ＣＰＵ１１は、音楽再生プログラムＰに従って、デジタルオーディオデータをＵＳＢ  ＤＡＣ２に出力する。
【００１６】
記憶部１２は、ＣＰＵ１１の主メモリとして機能するＲＡＭ（Random Access Memory）、制御プログラムを記憶するＲＯＭ（Read Only Memory）、ＯＳプログラムや音楽再生プログラムＰを含むアプリケーションプログラム等のプログラム、デジタルオーディオデータ等の各種データを記憶するフラッシュメモリから構成されている。なお、記憶部１２は、例示する構成に限られず、ＨＤＤ（Hard Disk Drive）等を含んでいてもよい。また、音楽再生プログラムＰは、工場出荷時に記憶部１２に記憶されていてもよいし、後述するＮＷ通信部１６を介して、図示しないサーバーからダウンロードされ、記憶部１２に記憶されていてもよい。
【００１７】
表示部１３は、種々の画像（静止画像、動画像を含む）を表示するものであり、液晶パネルにより構成されている。操作部１４は、各種設定を行うための操作キー、及び、表示部１３と連動したタッチパネルを備えている。ユーザーは、操作部１４を介して、電話番号やメールアドレス等の各種の文字入力、通信設定などを行うことが可能である。スピーカー１５は、ＣＰＵ１１から出力されるオーディオデータに基づいて、音楽等の種々の音声を出力する。ＮＷ通信部１６は、図示しない携帯電話網および携帯基地局を介してインターネットに接続可能なように構成されている。スマートフォン１は、ＮＷ通信部１６を介して、他の端末との通話、通信等を行うことが可能である。
【００１８】
コネクター１７は、スマートフォン１を外部の機器と接続するためのものである。コネクター１７は、ＵＳＢのマイクロＢタイプの、メス型の接続コネクターである。スマートフォン１のコネクター１７と、ＵＳＢ  ＤＡＣ２のコネクター２７と、がＵＳＢ  ＯＮ  ＴＨＥ  ＧＯ  ケーブル４で接続されることにより、スマートフォン１とＵＳＢ  ＤＡＣ２とが接続される。ＵＳＢホストコントローラー１８は、ＵＳＢ規格に対応した通信をＵＳＢデバイス機器（本実施形態では、ＵＳＢ  ＤＡＣ２）と行うためのコントローラーである。スマートフォン１は、ＵＳＢホストコントローラー１８により、ＵＳＢホスト機器として機能する。
【００１９】
（ＵＳＢ  ＤＡＣ２）
ＵＳＢ  ＤＡＣ２は、ＣＰＵ２１、記憶部２２、表示部２３、操作部２４、Ｄ／Ａコンバーター２５、増幅部２６、コネクター２７、ＵＳＢデバイスコントローラー２８、バッテリー２９を備えている。ＣＰＵ２１は、制御プログラムに従って、ＵＳＢ  ＤＡＣ２を構成する各部を制御する。
【００２０】
記憶部２２は、ＣＰＵ２１の主メモリとして機能するＲＡＭ、制御プログラムを記憶するＲＯＭから構成されている。なお、記憶部２２は、例示する構成に限られず、フラッシュメモリ等を備えていてもよい。表示部２３は、電源のオン／オフを示すＬＥＤランプ等である。操作部２４は、ユーザー操作を受け付けるためのものであり、ＵＳＢ  ＤＡＣ２の筐体に設けられた操作ボタン等である。ユーザーは、操作部２４のスイッチを操作することにより、ＵＳＢ  ＤＡＣ２を、充電モード、又は、非充電モードに設定することが可能である。Ｄ／Ａコンバーター２５は、スマートフォン１から出力されるデジタルオーディオデータをアナログオーディオデータにＤ／Ａ変換するものである。Ｄ／Ａコンバーター２５は、ＰＣＭ（Pulse Code Modulation）データ、ＤＳＤ（Direct Stream Digital）データをＤ／Ａ変換することが可能である。増幅部２６は、Ｄ／Ａコンバーター２５がＤ／Ａ変換したアナログオーディオデータを増幅し、ヘッドホン３に出力する。
【００２１】
コネクター２７は、ＵＳＢ  ＤＡＣ２を外部の機器と接続するためのものである。コネクター２７は、ＵＳＢのマイクロＢタイプの、メス型の接続コネクターである。ＵＳＢデバイスコントローラー２８は、ＵＳＢ規格に対応した通信をＵＳＢホスト機器（本実施形態では、スマートフォン１）と行うためのコントローラーである。ＵＳＢデバイスコントローラー２８により、ＵＳＢ  ＤＡＣ２は、ＵＳＢデバイス機器として機能する。本実施形態では、スマートフォン１とＵＳＢ  ＤＡＣ２とは、ＵＳＢオーディオクラスに対応した通信を行う。
【００２２】
スマートフォン１からＵＳＢ  ＤＡＣ２へは、音楽再生プログラムＰが起動され、ユーザーの操作部１４の操作により選択されたデジタルオーディオデータが出力される。
【００２３】
図２及び図３は、ＵＳＢ  ＤＡＣ２が接続された場合のスマートフォン１の処理動作を示すフローチャートである。スマートフォン１の電源がオフである場合（Ｓ１）、スマートフォン１からＵＳＢ  ＤＡＣ２へのＵＳＢを介した電源電圧の供給（ＵＳＢ給電）は、行われない（Ｓ２）。次に、ＣＰＵ１１は、スマートフォン１が電源オン操作されたか否かを判断する（Ｓ３）。ＣＰＵ１１が、スマートフォン１が電源オン操作されていないと判断した場合（Ｓ３：Ｎｏ）、スマートフォン１の電源は、オフのままである（Ｓ１）。ＣＰＵ１１は、スマートフォン１が電源オン操作されたと判断した場合（Ｓ３：Ｙｅｓ）、スマートフォン１の電源をオンする（Ｓ４）。
【００２４】
スマートフォン１にＵＳＢ  ＤＡＣ２が接続されていない場合（Ｓ５）、ＵＳＢ給電は、行われない（Ｓ６）。次に、ＣＰＵ１１は、ＵＳＢ  ＤＡＣ２が接続されたか否かを判断する（Ｓ７）。ＣＰＵ１１は、ＵＳＢ  ＤＡＣ２が接続されていないと判断した場合（Ｓ７：Ｎｏ）、スマートフォン１が電源オフ操作されたか否かを判断する（Ｓ８）。ＣＰＵ１１は、スマートフォン１が電源オフ操作されたと判断した場合（Ｓ８：Ｙｅｓ）、スマートフォン１の電源をオフする（Ｓ１）。ＣＰＵ１１が、スマートフォン１が電源オフ操作されていないと判断した場合（Ｓ８：Ｎｏ）、ＵＳＢ  ＤＡＣ２は、スマートフォン１に接続されていないままである（Ｓ５）。
【００２５】
ＣＰＵ１１は、ＵＳＢ  ＤＡＣ２が接続されたと判断した場合（Ｓ７：Ｙｅｓ）、５秒タイマーをスタートさせる（Ｓ９）。次に、ＣＰＵ１１は、ＵＳＢホストコントローラー１８により、ＵＳＢ  ＤＡＣ２とのＵＳＢ接続処理を行う（Ｓ１０）。次に、ＣＰＵ２は、ＵＳＢ接続処理が完了したか否かを判断する（Ｓ１１）。ＣＰＵ１１は、ＵＳＢ接続処理が完了していないと判断した場合（Ｓ１１：Ｎｏ）、タイマーが０であるか否かを判断する（Ｓ１２）。ＣＰＵ１１は、タイマーが０でないと判断した場合（Ｓ１２：Ｎｏ）、ＵＳＢ接続処理を行う（Ｓ１０）。
【００２６】
ＣＰＵ１１は、ＵＳＢ接続処理が完了したと判断した場合（Ｓ１１：Ｙｅｓ）、バッテリー１９からの電源電圧を、ＵＳＢを介して、ＵＳＢ  ＤＡＣ２に供給する（Ｓ１３）。すなわち、ＣＰＵ１１は、ＵＳＢ  ＤＡＣ２がスマートフォン１に接続されてから、ＵＳＢ接続処理が完了するまで、バッテリー１９からの電源電圧をＵＳＢ  ＤＡＣ２に供給しない。
【００２７】
また、ＣＰＵ１１は、タイマーが０であると判断した場合（Ｓ１１：Ｙｅｓ）、バッテリー１９からの電源電圧を、ＵＳＢを介して、ＵＳＢ  ＤＡＣ２に供給する（Ｓ１３）。すなわち、ＣＰＵ１１は、ＵＳＢ  ＤＡＣ２がスマートフォン１に接続されてから５秒間、バッテリー１９からの電源電圧をＵＳＢ  ＤＡＣ２に供給しない。
【００２８】
スマートフォン１とＵＳＢ  ＤＡＣ２とがＵＳＢ接続されている間（Ｓ１４）、ＣＰＵ１１は、ＵＳＢ  ＤＡＣ２がスマートフォン１から切断されたか否かを判断する（Ｓ１５）。ＣＰＵ１１は、ＵＳＢ  ＤＡＣ２がスマートフォン１から切断されていないと判断している間は（Ｓ１５：Ｎｏ）、バッテリー１９からの電源電圧を、ＵＳＢを介して、ＵＳＢ  ＤＡＣ２に供給する。ＣＰＵ１１が、ＵＳＢ  ＤＡＣ２がスマートフォン１から切断されたと判断した場合（Ｓ１５：Ｙｅｓ）、スマートフォン１とＵＳＢ  ＤＡＣ２とが未接続の状態となる（Ｓ５）。
【００２９】
以上説明したように、本実施形態では、ＣＰＵ１１は、ＵＳＢ  ＤＡＣ２が接続されてから所定時間（本実施形態では、５秒間）、バッテリー１９からの電源電圧をＵＳＢ  ＤＡＣ２に供給しない。このため、初期接続時にスマートフォン１からＵＳＢ  ＤＡＣ２に電源電圧が供給されない。これにより、ＵＳＢ  ＤＡＣ２が充電モードであっても、スマートフォン１がＵＳＢ  ＤＡＣ２との接続処理を停止することがない。このように、本実施形態によれば、ＵＳＢ  ＤＡＣ２のモードを変更することなく、ＵＳＢ  ＤＡＣ２と接続処理を行うことができる。
【００３０】
また、本実施形態では、ＣＰＵ１１は、ＵＳＢ  ＤＡＣ２が接続されてから、ＵＳＢ  ＤＡＣ２との接続処理が完了するまで、バッテリー１９からの電源電圧をＵＳＢ  ＤＡＣ２に供給しない。このため、初期接続時にスマートフォン１からＵＳＢ  ＤＡＣ２に電源電圧が供給されない。これにより、ＵＳＢ  ＤＡＣ２が充電モードであっても、スマートフォン１がＵＳＢ  ＤＡＣ２との接続処理を停止することがない。このように、本実施形態によれば、ＵＳＢ  ＤＡＣ２のモードを変更することなく、ＵＳＢ  ＤＡＣ２と接続処理を行うことができる。
【００３１】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３２】
上述の実施形態においては、ＣＰＵ１１は、ＵＳＢ  ＤＡＣ２が接続されてから５秒間、バッテリー１９からの電源電圧をＵＳＢ  ＤＡＣ２に供給しない。これに限らず、ＣＰＵ１１は、ＵＳＢ  ＤＡＣ２が接続されてから所定時間（例えば、１０秒間）、バッテリー１９からの電源電圧をＵＳＢ  ＤＡＣ２に供給しなければよい。
【００３３】
上述の実施形態においては、電子機器として、スマートフォンを例示した。これに限らず、タブレットＰＣ、携帯音楽プレイヤー等であってもよい。
【産業上の利用可能性】
【００３４】
本発明は、外部装置と通信を行う電子機器に好適に採用され得る。
【符号の説明】
【００３５】
１  スマートフォン（電子機器）
１１  ＣＰＵ（制御部）
１７  コネクター
１８  ＵＳＢホストコントローラー
１９  バッテリー
２  ＵＳＢ  ＤＡＣ（外部装置）
２７  コネクター
２８  ＵＳＢデバイスコントローラー
２９  バッテリー
３  ヘッドホン  
４  ＵＳＢ  ＯＮ  ＴＨＥ  ＧＯ  ケーブル
【図１】
2017062661.tif 000003
【図２】
2017062661.tif 000004
【図３】
2017062661.tif 000005